(57)【特許請求の範囲】
【請求項１】
籾摺機、脱穀機等の定置型の穀粒調整機の本機１を内蔵する荷造り枠２を下枠２ａ、上枠２ｂ、縦枠２ｃ等によって構成して該本機１を該荷造り枠２に着脱自在に固定し、前記本機１には荷造り枠２の下枠２ａの下面より下方に出し入れ可能な転輪３を設けてある荷造り装置において、上記荷造り枠２の下前枠２ａｆ，上前枠２ｂｆ，縦前枠２ｃｆを取外し可能に設け、前記転輪３を下方に出した状態で荷造り枠２から取り出すよう構成してなる定置型の穀粒調整機の荷造り装置。
【発明の詳細な説明】
【０００１】
【産業上の利用分野】
この発明は、籾摺機，脱穀機等の定置型の穀粒調整機の荷造り装置に関するものである。
【０００２】
【従来の技術】
籾摺機は、一般的にはこれを荷造り枠により全面的に包囲した状態で出荷するようにしている。
【０００３】
【発明が解決しようとする課題】
荷造り枠のままでは本機を自由に移動、旋回させることができず、運搬作業の能率低下を招いていた。
【０００４】
【課題を解決するための手段】
この発明は、このような従来技術のもつ問題点を解決するために、次のような技術的手段を講じた。即ち、この発明は、籾摺機、脱穀機等の定置型の穀粒調整機の本機１を内蔵する荷造り枠２を下枠２ａ、上枠２ｂ、縦枠２ｃ等によって構成して該本機１を該荷造り枠２に着脱自在に固定し、前記本機１には荷造り枠２の下枠２ａの下面より下方に出し入れ可能な転輪３を設けてある荷造り装置において、上記荷造り枠２の下前枠２ａｆ，上前枠２ｂｆ，縦前枠２ｃｆを取外し可能に設け、前記転輪３を下方に出した状態で荷造り枠２から取り出すよう構成してなる定置型の穀粒調整機の荷造り装置とする。
【０００５】
【作用】
籾摺機を荷造り枠のままで移動させたい時には、本機側のハンドル操作で、転輪を荷造り枠の下枠下面より下方に押し出せばよく、かかる転輪の利用により本機を自由に移動させることができる。
【０００６】
【発明の効果】
従って、この発明によれば、荷造りのままでも、本機の転輪利用により自由に移動、旋回することができ、運搬作業を楽にし高能率化を図ることができる。
また、荷造り枠の下前枠２ａｆ，上前枠２ｂｆ，縦前枠２ｃｆを取外すと、前面が開放し特に下枠２ａｆが外されるため、転輪３を下方に出して移動させることができ、本機１を荷造り枠２から簡単に取り出すことができる。
【０００７】
【実施例】
以下、図面に示すこの発明の実施例について説明する。１は籾摺機の本機であって、荷造り枠２によって包囲する構成である。荷造り枠２は、主として、下枠２ａ，上枠２ｂ，縦枠２ｃ等からなる。本機１側には荷造り枠２の下枠２ａ下面より下方と上方とに出し入れ可能な転輪３を架設している。この転輪３は、横方向の支軸４周りに支持ア−ム５を介して上下に揺動する構成であり、ハンドル６によりネジ軸７を回して揺動ア−ム８を前後方向に揺動操作することで、転輪３の出し入れを可能にしている。
【０００８】
以上のように、本機側のハンドル６の回動操作で、転輪３を下方に出すことにより、荷造り枠のままでも本機の移動、旋回が容易にできる構成である。また、リフトを使用しなくとも、本機を荷造り枠から簡単に取り出すこともできる。つまり、まず、本機を固定しているボルト、ナットを外した後、図３で示すように荷造り枠２の下前枠２ａｆ，上前枠２ｂｆ，縦前枠２ｃｆを外せばよい。そして、ハンドル６を回して転輪３を下方に出せば、下前枠２ａｆが外されるため荷造り枠２は取り出し側（前側）が低くなるように傾くが、下枠２ａｆが外され、上記転輪３を出して移動させることができるため、本機１を荷造り枠２から簡単に取り出すことができるものである。
【０００９】
図４〜図６に示す構成について説明する。この籾摺機１は、籾摺をする籾摺部９を上部に、籾摺部９からの摺落米を風選する摺落米風選部１０を下部に、混合米を籾・玄米に分離選別する壺穴式回転選別装置型の混合米選別部１１をそれらの後部に夫れ夫れ配置し、また、風選部１０の横側部には、混合米選別部１１への混合米揚穀機１２を配置し、混合米選別部１１の後部側には、玄米（仕上米）揚穀機１３を配置している。籾摺機１の前部には機体前部を持ち上げるための把手１４が排塵筒１５を取り囲むように機体に固着して設けられている。機体後部側には支軸４周りに上下揺動可能な転輪３を架設している。この転輪３は、支軸４を中心として揺動操作する操作杆１６の途中部に軸支され、機体後部を持ち上げながら操作杆１６を下方に押し下げて係止具１７に係止すれば、前記転輪３が機台１８より下方に突出した状態でロックされるようになっている。
【００１０】
前記把手１４には、補助把手１９が横軸２０周りに回動自在に軸着して設けられている。補助把手１９を（イ）の姿勢状態から（ロ）の姿勢状態位置にまで回動操作して持ち上げると、把手１４との協同により把手長さが長くなるため、機体を軽く持ち上げることができ、機体後部側の転輪３を下方に出した状態での移動運搬が楽に行える。
【００１１】
また、補助把手１９の先端に図の如く輪体２１を取り付けておけば、把手１４を持ち上げたのち、補助把手１９を図５の（ハ）の姿勢状態位置まで回動操作し係止ロック装置２２にて係止するようにすれば、この機体前部側の左右輪体２１，２１と後部側の左右転輪３，３との４輪車で機体を自由に移動させることができて便利である。
【００１２】
図７に示す実施例は、把手１４の機体に対する取付側彎曲部２３に、この部分が曲がらないように補強するための補強ステ−２４を設け、そして、この補強ステ−２４には通し孔を設けて補助把手１９の基部を回動自在に軸受保持する構成としている。図８〜図９に示す実施例は、把手１４を前後方向に伸縮可能に構成したものである。つまり、基部側把手１４Ａに対して先端側把手１４Ｂを前後摺動自在に挿通支架し、任意の長さにスライド調節してボルト２５により固定する構成である。
図１０〜図１３に示す実施例について説明する。
【００１３】
玄米揚穀機１３の上部には玄米排出樋２６内での塵埃を吸い込んで機外に排出する吸引排塵フアン（排塵ブロワ）２７が設けられている。２８はその排塵パイプで、風選室内の３番口に向けて排塵するよう配管している。円筒型回転選別胴２９内には、籾移送ラセン３０を内装する籾受樋３１と仕上米移送ラセン３２を内装する仕上米受樋３３が設けられている。
【００１４】
図１１では、仕上米受樋３３上部の傾斜案内部分が網体３４にて構成され、その下方には網体３４からのホコリ等を受ける案内樋３５が設けられている。そして、この案内樋３５の一端部を前記排塵パイプ２８に連通し、他端部を風選室内に連通させて、前記網体から抜け落ちるヌカやホコリ等を案内樋３５内を通して風選室内の３番口に向けて吹き出す構成である。
【００１５】
図１２では、仕上米受樋３３のラセン底部分が網体３４にて構成され、その下方にはヌカやホコリ等を受ける案内樋３５が設けらている。そして、この案内樋３５には前記排塵パイプ２８を連通してヌカやホコリ等を前記吸引排塵フアン２７からの排塵風によって吹き出すように構成している。
【図面の簡単な説明】
【図１】側面図
【図２】斜視図
【図３】斜視図
【図４】側面図
【図５】側面図
【図６】正面図
【図７】側面図
【図８】側面図
【図９】平面図
【図１０】背面図
【図１１】切断背面図
【図１２】切断背面図
【図１３】切断側面図
【符号の説明】
１    籾摺機（本機）
２    荷造り枠
３    転輪
４    支軸
５    支持ア−ム
６    ハンドル
７    ネジ軸
８    揺動ア−ム
【図１】
0003648797.tif 000002
【図２】
0003648797.tif 000003
【図３】
0003648797.tif 000004
【図４】
0003648797.tif 000005
【図５】
0003648797.tif 000006
【図６】
0003648797.tif 000007
【図７】
0003648797.tif 000008
【図８】
0003648797.tif 000009
【図９】
0003648797.tif 000010
【図１０】
0003648797.tif 000011
【図１１】
0003648797.tif 000012
【図１２】
0003648797.tif 000013
【図１３】
0003648797.tif 000014